(57)【要約】【課題】使用者に対して、違和感などの不自然さを一切与えることなく、常時、自己の動作と一体感が得られるように音楽などの音声を再生できるようにする。【解決手段】運動情報センサ２４、運動情報解析回路２３を通じて使用者の動作テンポを検出し、この動作テンポに応じたテンポの音楽データを制御部１０が音楽情報記憶装置部２１の記録媒体から検索して再生するようにする。使用者の動作テンポに応じたテンポの音楽データが検索できなかった場合には、制御部１０は、音楽再生データ生成装置部２２を制御して、動作テンポの整数倍との差が所定範囲内であるテンポの音楽データと、動作テンポの整数分の１との差が所定範囲内であるテンポの音楽データとの一方または両方を検索し、検出できた音声データを再生する。【選択図】図１
2007156261.tif 000002
【特許請求の範囲】
【請求項１】
使用者の動作テンポを検出する検出手段と、
前記検出手段によって検出された使用者の動作テンポとの差が所定範囲内であるテンポの音楽データを検索する第１の検索手段と、
前記第１の検索手段により、使用者の動作テンポとの差が所定範囲内であるテンポの音楽データが検出された場合に、検出された当該音楽データを再生する第１の再生手段と、
前記第１の検索手段により、使用者の動作テンポとの差が所定範囲内であるテンポの音楽データが検出されなかった場合に、使用者の前記動作テンポの整数倍との差が所定範囲内であるテンポの音楽データと、使用者の前記動作テンポの整数分の１との差が所定範囲内であるテンポの音楽データとの一方または両方を検索するようにする第２の検索手段と、
前記第２の検索手段により、該当するテンポの音楽データが検出された場合に、検出された当該音楽データを再生する第２の再生手段と
を備えることを特徴とする音響再生装置。
【請求項２】
請求項１に記載の音響再生装置であって、
前記検出手段によって動作テンポが検出される使用者の動作は、ウォーキング、ジョギング、ランニング、ダッシュの少なくとも一つであることを特徴とする音響再生装置。
【請求項３】
請求項１に記載の音響再生装置であって、
前記検出手段は、加速度センサ、振動センサ、圧力センサのうちの１つを用いて構成されたものであることを特徴とする音響再生装置。
【請求項４】
請求項１に記載の音響再生装置であって、
使用者の動作テンポを示す情報と再生した音楽データについての情報との一方あるいは両方を履歴情報として記憶保持する記憶手段を備えることを特徴とする音響再生装置。
【請求項５】
請求項４に記載の音響再生装置であって、
前記記憶装置は、光ディスク、光磁気ディスク、磁気テープ、ハードディスク、半導体メモリ、ＩＣカードのいずれかであることを特徴とする音響再生装置。
【請求項６】
請求項１に記載の音響再生装置であって、
音楽データを蓄積する音楽データ記憶手段と、
ネットワーク上に設けられた音楽データベースに接続可能にするための接続手段と
を備え、
前記検索手段は、前記音楽データ記憶手段に記憶されている音楽データと、前記接続手段を通じて接続可能とされる前記ネットワーク上の前記音楽データベースの音楽データとを検索対象とすることができるものであり、
前記音楽データ記憶手段は、記録媒体として、光ディスク、光磁気ディスク、磁気テープ、ハードディスク、半導体メモリ、ＩＣカードのいずれかが用いられたものであることを特徴とする音響再生装置。
【請求項７】
使用者の動作テンポを検出する検出工程と、
前記検出工程において検出した使用者の動作テンポとの差が所定範囲内であるテンポの音楽データを検索する第１の検索工程と、
前記第１の検索工程において、使用者の動作テンポとの差が所定範囲内であるテンポの音楽データを検出した場合に、検出した当該音楽データを再生する第１の再生工程と、
前記第１の検索工程において、使用者の動作テンポとの差が所定範囲内であるテンポの音楽データを検出しなかった場合に、使用者の前記動作テンポの整数倍との差が所定範囲内であるテンポの音楽データと、使用者の前記動作テンポの整数分の１との差が所定範囲内であるテンポの音楽データとの一方または両方を検索する第２の検索工程と、
前記第２の検索工程において、該当するテンポの音楽データを検出した場合に、検出した当該音楽データを再生する第２の再生工程と
を有することを特徴とする音響再生方法。
【請求項８】
請求項７に記載の音響再生方法であって、
前記検出工程において動作テンポを検出する使用者の動作は、ウォーキング、ジョギング、ランニング、ダッシュの少なくとも一つであることを特徴とする音響再生方法。
【請求項９】
請求項７に記載の音響再生方法であって、
前記検出工程においては、加速度センサ、振動センサ、圧力センサのうちの１つを用いて使用者の動作テンポを検出することを特徴とする音響再生方法。
【請求項１０】
請求項７に記載の音響再生方法であって、
使用者の動作テンポを示す情報と再生した音楽データについての情報との一方あるいは両方を履歴情報として記憶手段に記録する履歴記録工程を有することを特徴とする音響再生方法。
【請求項１１】
請求項１０に記載の音響再生方法であって、
前記記憶手段は、光ディスク、光磁気ディスク、磁気テープ、ハードディスク、半導体メモリ、ＩＣカードのいずれかであることを特徴とする音響再生方法。
【請求項１２】
請求項７に記載の音響再生方法であって、
前記検索工程においては、自機の音楽データ記憶手段に記憶されている音楽データと、接続手段を通じて接続可能とされるネットワーク上の音楽データベースの音楽データとを検索対象としており、
前記音楽データ記憶手段は、記録媒体として、光ディスク、光磁気ディスク、磁気テープ、ハードディスク、半導体メモリ、ＩＣカードのいずれかが用いられたものであることを特徴とする音響再生方法。
【請求項１３】
音楽データを再生する音響再生装置に搭載されたコンピュータに、
使用者の動作テンポを検出する検出ステップと、
前記検出ステップにおいて検出した使用者の動作テンポとの差が所定範囲内であるテンポの音楽データを検索する第１の検索ステップと、
前記第１の検索ステップにおいて、使用者の動作テンポとの差が所定範囲内であるテンポの音楽データを検出した場合に、検出した当該音楽データを再生する第１の再生ステップと、
前記第１の検索ステップにおいて、使用者の動作テンポとの差が所定範囲内であるテンポの音楽データを検出しなかった場合に、使用者の前記動作テンポの整数倍との差が所定範囲内であるテンポの音楽データと、使用者の前記動作テンポの整数分の１との差が所定範囲内であるテンポの音楽データとの一方または両方を検索する第２の検索ステップと、
前記第２の検索ステップにおいて、該当するテンポの音楽データを検出した場合に、検出した当該音楽データを再生する第２の再生ステップと
を実行させることを特徴とする音響再生プログラム。
【発明の詳細な説明】
【技術分野】
【０００１】
この発明は、例えば、ハードディスクプレーヤ、ＭＤ（Mini Disc（登録商標））プレーヤ、音楽データ再生機能付き携帯情報端末などの音響を再生する機能を備えた装置、音響を再生する装置において用いられる方法、プログラムに関する。
【背景技術】
【０００２】
近年、小型化、軽量化された携帯型音響再生装置の普及にともなって、これまでになかった場面で音楽が聴かれるようになってきている。例えば、携帯型音響再生装置を屋外に持ち出し、歩きながら音楽を聴いたり、あるいは、健康維持、健康増進、ダイエットなどの目的で行うジョギング、ウォーキングなどのスポーツを行う際などにおいて音楽を聞いたりすることが広く行われている。
【０００３】
この場合、再生される音楽のテンポと使用者の動作（例えば、歩行、ジョギング、ウォーキングなどの運動）のテンポが一致する時に動作と音楽の一体感が得られる。このため、再生される音楽のテンポと使用者の動作のテンポがずれたり、使用者の動作のテンポが急に変化したりした場合にも動作と音楽の一体感が得られるように使用者の動作のテンポを検出し、動作のテンポの変化に応じて再生する音楽のテンポを変化させる装置が考えられている。
【０００４】
例えば、後に記す特許文献１には、使用者が身体に装着した検出器により、動作にともなう振動や歩行のステップデータから動作あるいは歩行のペースを求めて、その変化に応じて音楽の再生テンポを変化させる装置が開示されている。このような装置を用いることにより、再生される音楽に合わせて、無理なく運動を継続したり、効率よく運動を行うことができたりするなどのことができるようにされる。
【０００５】
なお、上述した特許文献１は、以下の通りである。
【特許文献１】特開２００５−１５６６４１号公報
【発明の開示】
【発明が解決しようとする課題】
【０００６】
ところで、上述した特許文献１に記載の発明は、使用者の動作テンポに合わせて、再生している音楽の再生テンポを変化させるものであり、常に、音楽の再生テンポを使用者の動作テンポに追従させることができる。しかし、再生している音楽の再生テンポを変化させるために、変化の開始から終了までの過渡的なテンポの音楽が使用者に提供されてしまう場合がある。また、再生される音楽は、一般に既成のものであるので、中には再生テンポの変化に不向きなものもあると考えられる。
【０００７】
以上のことに鑑み、この発明は、使用者に対して、違和感などの不自然さを一切与えることなく、常時、使用者の動作と一体感が得られるように音楽を再生できるようにすることを目的とする。
【課題を解決するための手段】
【０００８】
上記課題を解決するため、請求項１に記載の発明の音響再生装置は、
使用者の動作テンポを検出する検出手段と、
前記検出手段によって検出された使用者の動作テンポとの差が所定範囲内であるテンポの音楽データを検索する第１の検索手段と、
前記第１の検索手段により、使用者の動作テンポとの差が所定範囲内であるテンポの音楽データが検出された場合に、検出された当該音楽データを再生する第１の再生手段と、
前記第１の検索手段により、使用者の動作テンポとの差が所定範囲内であるテンポの音楽データが検出されなかった場合に、使用者の前記動作テンポの整数倍との差が所定範囲内であるテンポの音楽データと、使用者の前記動作テンポの整数分の１との差が所定範囲内であるテンポの音楽データとの一方または両方を検索するようにする第２の検索手段と、
前記第２の検索手段により、該当するテンポの音楽データが検出された場合に、検出された当該音楽データを再生する第２の再生手段と
を備えることを特徴とする。
【０００９】
この請求項１に記載の発明の音響再生装置によれば、使用者の動作テンポ（動作の速さ）が検出手段により検出され、この検出された動作テンポとの差が所定範囲内であるテンポの音楽データが第１の検索手段により検索される。そして、動作テンポとの差が所定範囲内であるテンポの音楽データが検出できた場合には、当該検索された音楽データが、第１の再生手段により再生される。
【００１０】
また、動作テンポとの差が所定範囲内であるテンポの音楽データが検出できなかった場合には、動作テンポの整数倍との差が所定範囲内であるテンポの音楽データと、動作テンポの整数分の１との差が所定範囲内であるテンポの音楽データとの一方または両方が、第２の検索手段により検索される。そして、第２の検索手段により該当データが検出された場合に、その検出された音楽データが第２の再生手段により再生される。
【００１１】
なお、第２の検出手段においては、動作テンポの整数倍との差が所定範囲内であるテンポの音楽データと、動作テンポの整数分の１との差が所定範囲内であるテンポの音楽データとの内の一方だけを検索するように構成したり、あるいは、動作テンポの整数倍との差が所定範囲内であるテンポの音楽データと、動作テンポの整数分の１との差が所定範囲内であるテンポの音楽データとの両方を必ず検索するように構成したりすることができる。
【００１２】
また、第２の検出手段においては、動作テンポの整数倍との差が所定範囲内であるテンポの音楽データを検索し、該当する音楽データが検出できなかった場合には、動作テンポの整数分の１との差が所定範囲内であるテンポの音楽データを検出するというように、いずれか一方の条件に従って検索を行い、該当データが検出できない場合に他方の条件に従って検索を行うように構成することができる。
【００１３】
これにより、使用者の動作テンポとの差が所定範囲内であるテンポの音楽データが存在しない場合であっても、使用者の動作テンポの整数倍のテンポの音楽データ、あるいは、使用者の動作テンポの整数分の１倍のテンポの音楽データが検出され、これが再生するよいうにされるので、使用者に対して、違和感などの不自然さを一切与えることなく、動作と一体感が得られるように音楽を再生することができるようにされる。
【発明の効果】
【００１４】
この発明によれば、日常生活での歩行や運動の目的で行うウォーキング、ジョギング、ダッシュなどをする際に、使用者の動作テンポと同期の取れたテンポの音楽を再生し、使用者の動作と再生される音楽との一体感が得られるようにすることができる。
【００１５】
また、使用者の動作テンポとの差が所定範囲内の音声データが存在しない場合であっても、使用者の動作テンポと一定の関係のあるテンポの音楽データを選択して再生することができ、動作テンポに応じて検索して再生する音楽データの数を増やすことができる。
【発明を実施するための最良の形態】
【００１６】
以下、図を参照しながら、この発明による装置、方法、プログラムの一実施の形態について説明する。以下に説明する実施の形態においては、この発明による装置、方法、プログラムを、例えば、携帯型ハードディスクプレーヤ、携帯型ＭＤ（Mini Disc（登録商標））プレーヤ、音楽データ（楽曲データ）の再生機能を備えた携帯電話端末などの携帯型の音響再生装置（音楽再生装置）に適用した場合を例にして説明する。
【００１７】
［音響再生装置の構成について］
図１は、この実施の形態の音響再生装置を説明するためのブロック図である。この実施の形態の音響再生装置は、上述もしたように、携帯型のものであり、小型化、軽量化が図られ、衣服のポケットなどに収納するなどして気軽に持ち運んで利用することができるものである。したがって、ウォーキングやジョギングといった運動をしながら音楽を再生して聴取する場合に用いて好適なものである。
【００１８】
図１に示すように、この実施の形態の音響再生装置は、制御部１０、音楽情報記憶装置部２１、音楽再生データ生成装置部２２、運動情報解析回路２３、運動情報センサ２４、音声信号出力処理部３１、スピーカ３２、表示回路３３、表示部３４、キー操作部４１、マイクロホン（図１においてはマイクと記載。）４２、音声信号入力処理部４３、外部端子５１、Ｉ／Ｆ（インターフェース）５２、記憶装置部５３、通信Ｉ／Ｆ６１、送受信回路６２、送受信アンテナ６３を備えたものである。
【００１９】
制御部１０は、この音響再生装置の各部を制御するものであり、ＣＰＵ（Central Processing Unit）１１、ＲＯＭ（Read Only Memory）１２、ＲＡＭ（Random Access Memory）１３が、ＣＰＵバス１４を通じて接続されて構成されたものである。ここで、ＣＰＵ１１は、プログラムを実行し、これに応じて生成される制御信号を各部に供給することによって各部を制御することができるものであり、制御の主体となるものである。ＲＯＭ１２は、ＣＰＵ１１によって実行される種々のプログラムや処理に必要となる種々のデータなどを記憶保持するものである。また、ＲＡＭ１３は、処理の途中結果を一時記憶するなど、主に作業領域（ワークエリア）として用いられるものである。
【００２０】
音楽情報記憶装置部２１は、記録媒体に記録されている音楽データを読み出したり、記録媒体に対して音楽データを書き込んだりする処理を行う装置部分である。記録媒体には、ハードディスク、ＭＤ（Mini Disc（登録商標））などの光磁気ディスク、ＣＤ（Compact Disc）やＤＶＤ（Digital Versatile Disc）などの光ディスク、半導体メモリ、半導体メモリが用いられて形成されたＩＣカードメモリ、磁気テープなどの種々のものがあり、記録媒体が例えばハードディスクの場合には、音楽情報記憶装置部２１はハードディスクドライブに相当し、記録媒体が光ディスクの場合には、音楽情報記憶装置部２１は光ディスクドライブに相当する。なお、この実施の形態において、音楽情報記憶装置部２１は、例えば、ハードディスクドライブであるものとして説明する。
【００２１】
音楽再生データ生成装置部２２は、制御部１０からの制御に応じて、再生する音楽データ（楽曲データ）についての種々の処理を行うものである。具体的には後述もするが、音楽情報記憶装置部２１に記憶されている複数の音楽データの中から再生する音楽データを検索して選択したり、再生する音楽データの再生順序を決定したり、予め用意されているパラメータを用いて再生する音楽データを自動生成したりするなどの処理を行う部分である。
【００２２】
運動情報解析回路２３は、制御部１０等からの制御に応じて、使用者の運動に関する解析処理等を行う部分である。具体的には、運動情報センサ２４からの検出出力の供給を受けてこれを解析し、使用者の動作テンポ（運動テンポ）を検出するなどの処理を行う部分である。
【００２３】
なお、図１において、二重線のブロックで示した音楽再生データ生成装置部２２、運動情報解析回路２３の機能は、制御部１０において実行されるプログラムによっても実現することができる。すなわち、音楽再生データ生成装置部２２、運動情報解析回路２３の機能は、制御部１０の機能して実現することも可能である。
【００２４】
運動情報センサ２４は、加速度センサ、振動センサ、ショックセンサ、圧力センサなどの種々のセンサの内の１つ以上を用いて、使用者が運動を行っている場合に（動作している場合に）、これを検出することができるものである。これらの検出出力が、上述もしたように、運動情報解析回路２３に供給され、使用者の運動（動作）テンポが検出される。
【００２５】
音声信号出力処理部３１は、この実施の形態の音響再生装置においては、制御部１０を通じて供給される再生対象の音声データ（音楽データなど）の供給を受けて、これをＤ／Ａ（Digital/Analog）変換するなどして出力用のアナログ音声信号を形成するものである。音声信号出力処理部３１からのアナログ音声信号は、スピーカ３２に供給され、スピーカ３２からは、これに供給されたアナログ音声信号に応じた音声が放音するようにされる。
【００２６】
なお、図示しないが、音声信号出力処理部３１には、音声出力端子が接続するようにされており、これにヘッドホンやイヤホンが接続された場合には、音声信号出力処理部３１からのアナログ音声信号が当該音声信号出力端子を通じて、これに接続されたヘッドホンやイヤホンに供給され、ヘッドホンやイヤホンを通じて再生音声を聴取することもできるようにされる。このように、音声出力端子にヘッドホンやイヤホンが接続されている場合には、スピーカ３２からは再生音声は放音しないようにされる。
【００２７】
表示回路３３は、制御部１０からの制御に応じて、表示部３４の表示画面に表示する画像を形成するものである。この場合、表示部３４は、例えば、ＬＣＤ（Liquid Crystal Display）、ＥＬ（Electro Luminescence）パネルなどの表示素子が用いられたものであり、比較的に大きな表示画面を備え、種々の情報を表示することができるものである。この表示部３４の表示画面には、制御部１０の制御に応じて、操作ガイダンス、エラーメッセージ、再生音楽のタイトル、その他の種々の文字情報や画像情報等が表示するようにされる。
【００２８】
キー操作部４１は、複数の操作キーやファンクションキーを備え、音楽再生の開始や終了、再生する音楽の選択など、この音響再生装置に対して与えるべき指示や情報等の入力を受け付ける部分である。また、マイクロホン４２は、音声を収音して、これを電気信号に変換して取り込むものである。マイクロホン４２によって収音された音声に応じたアナログ音声信号は、音声信号入力処理部４３に供給され、ここでＡ／Ｄ（Analog/Digital）変換などが施され、制御部１０を通じて音楽情報記憶装置部２１の記録媒体に記録するなどのことができるようにされる。
【００２９】
外部端子（外部入出力端子）５１は、外部機器との接続端子であり、例えば、他の音響再生装置から音楽データ等の供給を受けて、これを取り込むようにしたり、逆に、この実施の形態の音響再生装置から他の外部機器に音楽データを供給したりすることができるようにしている。なお、Ｉ／Ｆ５２は、外部端子を通じて供給を受けたデータをこの実施の形態の音響再生装置に取り込んで、これを処理することができる形式のデータに変換したり、逆に、他の機器に出力すべきデータから出力可能な形式のデータに変換したりするなどの処理を行うものである。
【００３０】
記憶装置部５３は、後述もするが、保存しておくべきデータ、例えば、再生された音楽データの識別情報、その音楽データの特性情報、使用者の動作テンポ等の種々の情報を記憶保持することができるものである。また、この記憶装置部５３に音楽データを記憶させるようにするなどのことももちろん可能である。
【００３１】
なお、記憶装置部５３は、上述した音楽情報記憶装置部２１と同様に、記録媒体に記録されている種々のデータを読み出したり、記録媒体に対して種々のデータを書き込んだりする処理を行う装置部分である。記録媒体には、ハードディスク、ＭＤ（Mini Disc（登録商標））などの光磁気ディスク、ＣＤ（Compact Disc）やＤＶＤ（Digital Versatile Disc）などの光ディスク、半導体メモリ、半導体メモリが用いられて形成されたＩＣカードメモリ、磁気テープなどの種々のものがあり、記録媒体が例えばハードディスクの場合には、記憶装置部５３はハードディスクドライバに相当し、記録媒体が光ディスクの場合には、記憶装置部５３は光ディスクドライバに相当する。なお、この実施の形態において、記憶装置部５３は、例えば、ＩＣカードメモリドライブであるものとして説明する。
【００３２】
また、この実施の形態の音響再生装置は、通信Ｉ／Ｆ（インターフェース）６１を備え、例えば、インターネットなどのネットワーク１００に接続して、インターネット上の音楽データベースから目的とする音楽データやその音楽データのタイトル、ジャンル、長さ（再生時間）、曲テンポなどの特性情報等を取得したり、また、インターネットを通じて目的とする相手先に種々の要求や情報を送信したりすることができるようにしている。
【００３３】
また、送受信回路６２、送受信アンテナ６３を通じて、例えば、無線ＬＡＮ（Local Area Network）などに接続することによって、音楽データやその特性情報等を取得したり、無線ＬＡＮに接続された他の機器に対して要求や情報を送信したりすることもできるようにしている。
【００３４】
そして、キー操作部４１を通じて受け付ける使用者からの指示入力に応じて、制御部１０は各部を制御し、通信Ｉ／Ｆ６１、あるいは、外部端子５１及びＩ／Ｆ５１、あるいは、送受信回路６２及び送受信アンテナ６３を通じて供給を受ける音楽データやその音楽データの特性情報等を、制御部１０を通じて音楽情報記憶装置部２１の記録媒体に記録することができるようにされている。
【００３５】
そして、通常は、音楽情報記憶装置部２２に音楽データとして記憶保持されている楽曲の一覧表（楽曲リスト）が、制御部１０によって形成され、これが表示回路３３を通じて表示部３４の表示画面に表示され、その表示された音楽の一覧表示の中から、キー操作部４１を通じて再生する音楽データを選択することにより、その音楽データを再生することができるようにされる。
【００３６】
この場合、制御部１０は、キー操作部４１を通じて受け付けた音楽データの選択情報を含む再生指示に応じて、音楽情報記憶装置部２１から目的とする音楽データを読み出し、これを音声信号出力処理部３１に供給する。このように、音声信号出力処理部３１に音楽データが供給されると、上述もしたように出力用のアナログ音声信号が形成され、スピーカ３２、あるいは、図示しない外部出力端子に接続されたヘッドホンやイヤホンを通じて音楽データに応じた音楽を聴取することができるようにしている。
【００３７】
そして、この実施の形態の音響再生装置においては、例えば、キー操作部４１を通じて使用者の動作テンポに応じて音楽を再生することの指示入力を受け付けると、制御部１０は、運動情報解析回路２３を制御し、運動情報センサ２４により取得した使用者の動作情報を運動情報解析回路２３において解析することにより、当該使用者の動作テンポを検出する。
【００３８】
制御部１０は、音楽再生データ生成装置部２２を制御して、運動情報解析回路２３において検出された使用者の動作テンポとの差が所定範囲内であるテンポの音楽データを音楽情報記憶装置部２１の記録媒体に格納されている音楽データから検索する。この場合、例えば、音楽情報記憶装置部２１の記録媒体に記録されている再生可能な音楽データの一覧リストである楽曲情報に基づいて、目的とするテンポの音楽データを検索する。
【００３９】
図２は、この実施の形態の音響再生装置において、例えば、音楽情報記憶装置部２１の記録媒体に作成される楽曲リストの一例を説明するための図である。楽曲リストは、上述もしたように、音楽情報記憶装置部２１の記憶媒体に蓄積され、この音響再生装置において再生可能とされた音楽データの一覧リストであり、図２に示すように、タイトル、ジャンル、長さ（再生時間）、曲テンポ、その他などの情報からなるものである。
【００４０】
ここで、タイトルは、音楽データを再生することにより得られる楽曲の題名を意味し、ここでは各音楽データの識別子としての役割をも有するものである。ジャンルは、図２に示すように、ポップス、ＨＩＰ−ＨＯＰ（ヒップ・ホップ）、Ｊ−ＰＯＰ（日本のポップミュージック）、Ｒ＆Ｂ（リズム・アンド・ブルース）、…などのように音楽データを再生することにより得られる楽曲の種類を示すものである。長さ（再生時間）は、その音楽データの再生時間を示し、曲テンポは、音楽データの再生時の速さであり、１分間あたりの拍の数（ＢＰＭ：Beat Per Minutes）である。また、その他の情報として、アーチスト名、発売年月日、他の識別番号などの音楽データに関する種々の情報を管理することもできるようにしている。
【００４１】
なお、楽曲リストを構成するタイトル、ジャンル、長さ（再生時間）、曲テンポ等の情報は、ＣＤ（Compact Disc）等に音楽データと共に記録されて提供されるものを用いたり、あるいは、インターネット上の音楽情報データベースに開示されているものをダウンロードしてきて（取得して）用いたりすることになる。
【００４２】
例えば、外部端子に接続されたＣＤプレーヤなどの外部機器から音楽データの供給を受けて、これを音楽情報記憶装置部２１の記録媒体に記録する場合には、音楽データと共に、その音楽データに付随するタイトル、ジャンル、長さ（再生時間）、曲テンポ等の情報の提供を受けた場合には、これを用いて楽曲リストを形成することができる。
【００４３】
また、音楽データと共にタイトル、ジャンル、長さ（再生時間）、曲テンポ等の情報が提供されない場合には、通信Ｉ／Ｆ６１を通じてインターネットに接続し、インターネット上に設けられている音楽情報データベースにアクセスして、タイトル、ジャンル、長さ（再生時間）、曲テンポ等の必要な情報を取得して（ダウンロードしてきて）これを用いて楽曲リストを形成することができる。
【００４４】
また、取得して音楽情報記憶装置部２１の記録媒体に記録する音楽データを解析することによって、その音楽データの曲テンポを取得し、これを用いるようにしてもよい。なお、この場合の音楽データの解析は、制御部１０において行ってもよいし、音楽再生データ生成装置部２２において行うようにしてもよい。
【００４５】
なお、楽曲リストは、図２に示したように、音楽データ毎に、タイトル、ジャンル、長さ（再生時間）、曲テンポ、その他の情報からなるものとして説明したが、これに限るものではない。この実施の形態においては、少なくとも、各音楽データを識別するための識別情報と各音楽データについての曲テンポとを対応付けた情報があればよい。また、各音楽データの識別情報は、タイトルに限るものではない。楽曲毎の識別情報としては、例えば、ＩＳＲＣ（International Standard Recording Code）のように、楽曲毎に固有の情報となる予め付与された情報を用いるようにしてもよい。
【００４６】
そして、音楽再生データ生成装置部２２は、音楽情報記憶装置部２１の記録媒体に作成されている図２に示したような楽曲リストを参照し、使用者の動作テンポとの差が所定範囲内であるテンポ（曲テンポ）の音楽データを検索する。ここで、使用者の動作テンポとの差が所定範囲内という場合の「所定範囲」は、予め決められるものであり、使用者によって変更することもできるようにされるものである。例えば、使用者の動作テンポとの差が±５以内などのように設定される。
【００４７】
この場合において、使用者の動作テンポが、例えば、「１１０」であれば、目的とする音楽データの曲テンポは、差が±５であるので、「１０５」以上「１１５」以下の範囲、すなわち、「１０５≦曲テンポ≦１１５」の範囲となる。この例に従えば、図２に示した楽曲情報の場合には、再生すべき音楽データ（楽曲）として曲Ｃのみが検索（検出）されることになる。
【００４８】
もちろん、使用者の動作テンポとの差の範囲は、±１０以内、±９以内、±８以内など、適宜の範囲を設定することが可能である。また、使用者の動作テンポと一致するテンポの音楽データを検出するように、使用者の動作テンポとの差が±０と設定するようにすることも可能である。また、−１０以上＋５以下というように、マイナス側の範囲とプラス側の範囲とを異ならせるようにすることも可能である。
【００４９】
そして、このようにして音楽再生データ生成装置２２において検索された音楽データは、音楽情報記憶装置部２１の記録媒体から読み出され、音声信号出力処理部３１に供給され、ここでデコード処理されるともに、スピーカ２４に供給する形式のアナログ音声信号に変換され、これがスピーカ２４に供給される。これにより、使用者の動作テンポに応じたテンポの音楽データに応じた音楽がスピーカ２４から放音され、使用者はこれを聞きながら、運動を行うなどのことができるようにされる。
【００５０】
また、この実施の形態の音響再生装置においては、音楽情報記憶装置部２１の記録媒体に、使用者の動作テンポに応じたテンポの音楽データが検出できなかった場合には、例えば、通信Ｉ／Ｆを通じてインターネットなどの高域ネットワークに接続された音楽データベースにアクセスし、目的とするテンポの音楽データをダウンロードしてきて、音楽情報記憶装置部２１の記録媒体に、あるいは、記録装置部５３の記録媒体に格納して、これを再生することもできるようにされている。
【００５１】
さらに、使用者の動作テンポに応じた音楽データが検出できなかった場合には、使用者の動作テンポの整数倍との差が所定範囲内であるテンポの音楽データと、使用者の動作テンポの整数分の１倍との差が所定範囲内であるテンポの音楽データとの一方または両方を検索し、検出できた音楽データを再生することができるようにしている。
【００５２】
このようにすることにより、使用者の動作テンポに応じてテンポの音楽データが存在しない場合であっても、使用者の動作テンポに同期する、あるいは、ほぼ同期するテンポの音楽データを検索して探し出し、これを再生することによって、音響再生装置の使用者に対して、違和感などの不自然さを一切与えることなく、使用者の動作と一体感が得られるように音楽を再生できるようにしている。
【００５３】
なお、この実施の形態において、使用者の動作テンポの整数倍との差が所定範囲内であるテンポの音楽データと、使用者の動作テンポの整数分の１倍との差が所定範囲内であるテンポの音楽データとの一方または両方を検索する態様には、以下に示すように、少なくとも５つの態様がある。
【００５４】
すなわち、（１）動作テンポの整数倍との差が所定範囲内であるテンポの音楽データだけを検索する場合、（２）動作テンポの整数分の１との差が所定範囲内であるテンポの音楽データだけを検索する場合、（３）動作テンポの整数倍との差が所定範囲内であるテンポの音楽データと動作テンポの整数分の１との差が所定範囲内であるテンポの音楽データとの両方を必ず検索する場合、（４）動作テンポの整数倍との差が所定範囲内であるテンポの音楽データを検索し、該当する音楽データが検出できなかった場合には、動作テンポの整数分の１との差が所定範囲内であるテンポの音楽データを検出する場合、（５）動作テンポの整数分の１倍との差が所定範囲内であるテンポの音楽データを検索し、該当する音楽データが検出できなかった場合には、動作テンポの整数倍との差が所定範囲内であるテンポの音楽データを検索する場合の５つである。
【００５５】
どのような態様で音楽データを検索するかは、音響再生装置の製造者側において予め決めるようにしたり、複数の検索の態様を利用できるようにしておき、使用者によって目的とする検索の態様を選択できるようにしたり、あるいは、使用者の動作テンポを用いた条件を定めておき、使用者の動作テンポに応じて検索態様を選択したりするなどのことができるようにしておけばよい。
【００５６】
このように、この実施の形態の音響再生装置は、従来からの携帯型ハードディスクプレーヤ、携帯型ＭＤプレーヤ、半導体メモリプレーヤなどと同様に、記録媒体に記録されている音楽データの中から楽曲リストを通じて指定された音楽データを再生することができると共に、使用者が、ウォーキング、ジョギング、ランニングなどの運動を行う場合には、使用者の動作テンポを検出し、この検出した使用者の動作テンポとの差が所定範囲内にあるテンポの音楽データを検索して再生することができるものである。
【００５７】
そして、使用者の動作テンポとの差が所定範囲内にあるテンポの音楽データが存在しない場合には、動作テンポの整数分の１倍との差が所定範囲内であるテンポの音楽データか、動作テンポの整数倍との差が所定範囲内であるテンポの音楽データかを再生することにより、使用者の動作テンポに対してほぼ同期するテンポの楽曲を放音することができるものである。
【００５８】
［音響再生装置の動作の詳細について］
図３は、使用者の動作テンポを検出し、これに応じたテンポの楽曲を放音するようにされた場合の動作について説明するためのフローチャートである。図３に示す処理は、例えば、キー操作部４１を通じて使用者の動作テンポに応じて楽曲（音楽）を再生することの指示入力を受け付けた場合に、主に制御部１０において実行されるものである。
【００５９】
まず、制御部１０は、キー操作部４１を通じて使用者の動作テンポに応じて音楽を再生することの指示入力を受け付けると、運動情報解析回路２３を制御し、運動情報センサ２４からの検出出力を取得する（ステップＳ１０１）。そして、制御部１０は、運動情報解析回路２３を制御し、運動情報センサ２４からの検出出力を解析することにより、当該使用者の動作テンポを算出する（ステップＳ１０２）。
【００６０】
上述もしたように、運動情報センサ２４は、加速度センサ、振動センサ、ショックセンサ、圧力センサなどによって構成されるものであり、運動情報解析回路２３は、運動情報センサ２４からの検出出力（検出波形）のピーク値の周期を検出したり、検出出力の自己相関を算出してその周期性を検出したり、あるいは、周波数スペクトラム解析を行って、その周期性を検出したりすることによって、使用者の動作テンポを検出する。もちろん、この他の方式を用いて、使用者の動作テンポを検出するようにしてもよい。
【００６１】
そして、動作テンポは、具体的には、上述もしたように、動作の速度であって、例えば、使用者の動作がウォーキングやランニングなどの場合には、１分間あたりの歩数であるし、動作がジャンプの場合には、１分間当たりのジャンプの回数であるというように、１分間当たりの動作の数になる。
【００６２】
そして、制御部１０は音楽再生データ生成装置部２２を制御して、運動情報解析回路２３において算出された使用者の動作テンポに基づき、図２を用いて説明したように、例えば、音楽情報記憶装置部２１の記録媒体に作成されている楽曲リストを参照して、動作テンポに応じたテンポの楽曲（音楽データ）を検索する（ステップＳ１０３）。
【００６３】
このステップＳ１０３の検索処理においては、上述もしたように、例えば、使用者の動作テンポの±５の範囲に属する曲テンポの音楽データを検索するというように、使用者の動作テンポとの差が予め決められた範囲内となる曲テンポの音楽データを検索する処理である。もちろん、使用者の動作テンポと同一の曲テンポの音楽データを検索したり、使用者の動作テンポと同一以上「＋５」以下の曲テンポの音楽データを検索したり、使用者の動作テンポと同一以下「−５」以上の曲テンポの音楽データを検索したりするなどのことも可能である。このような範囲指定は、キー操作部４１を通じて変更することができるようにされる。
【００６４】
そして、制御部１０は、使用者の動作テンポに応じたテンポの楽曲が検出できたか否かを判断する（ステップＳ１０４）。ステップＳ１０４の判断処理において、使用者の動作テンポに応じたテンポの楽曲が検出できたと判断したときには、ステップＳ１０３の検索処理において、使用者の動作テンポに応じた曲テンポの音楽データとして見つかったものを、音声信号出力処理部３１に供給し、再生してスピーカ３２を通じて出力（放音）する（ステップＳ１０５）。
【００６５】
なお、ステップＳ１０３において、使用者の動作テンポに応じた曲テンポの音楽データが複数見つかった場合、ステップＳ１０５において制御部１０は、予め決められた順序で再生する音楽データ（楽曲）を決定し、これを再生する。具体的には、曲テンポが使用者の動作テンポに近い順、あるいは、予め決められたジャンル順、あるいは、再生時間の短い順、タイトルの５０音順などのように、予め決められた順番に従って、再生する音楽データを決定すればよい。もちろん、再生可能な音楽データのそれぞれに対して優先順位を予め設定しておき、これに従うようにしたり、後述もするが、再生した音楽データの識別情報を履歴情報として保持しておき、過去に再生されていないものを優先して再生したりするなど、種々の方式を用いることができる。
【００６６】
ステップＳ１０４の判断処理において、使用者の動作テンポに応じたテンポの楽曲が検出できなかったと判断したときには、制御部１０は、音楽再生データ生成装置部２２を制御して、使用者の動作テンポの整数分の１との差が所定範囲となるテンポの音声データ、または、使用者の動作テンポの整数倍との差が所定範囲となるテンポの音声データを検索する処理を行い、該当する音声データが検出できたときにはそれを再生する処理を行う（ステップＳ１０６）。なお、ステップＳ１０６における具体的な処理の内容については後述する。
【００６７】
そして、ステップＳ１０５の処理において所定時間分音楽データを再生した後、または、ステップＳ１０６において、検出された音楽データを所定時間分再生し、あるいは、該当データを検出できなかった場合には、制御部１０は、例えば、運動情報センサ２４からの検出出力の供給を受ける運動情報解析回路２３を制御し、使用者の動作（運動）が停止したり、あるいは、再生の停止指示入力を受け付けたり、あるいは、ステップＳ１０６において、該当データを検出できなかったなどの所定の終了イベントが発生したか否かを判断する（ステップＳ１０７）。
【００６８】
ステップＳ１０７の判断処理において、まだ終了イベントは発生していないと判断したときには、ステップＳ１０１からの処理を繰り返し、使用者についての新たに算出する動作テンポに応じて、再生する音楽データの検索処理等が行われることになる。また、ステップＳ１０７の判断処理において、所定の終了イベントが発生したと判断したときには、制御部１０は、図３に示す処理を終了する。
【００６９】
なお、ステップＳ１０７においては、運動情報センサ２４からの検出出力の供給を受ける運動情報解析回路２３を制御し、使用者の動作テンポが前回検出した動作テンポとの間で予め決められた分だけ差が生じた場合において、ステップＳ１０１からの処理を繰り返すようにすることも可能である。
【００７０】
［音楽データの検索および再生処理について］
次に、図３に示したフローチャートのステップＳ１０６において実行される音楽データの検索および再生処理について、図４、図５のフローチャートを用いて説明する。
【００７１】
ここでは、図３に示したステップＳ１０６においての処理として、上述もしたように、検索再生処理の例として、動作テンポの整数分の１倍との差が所定範囲内であるテンポの音楽データを検索し、該当する音楽データが検出できなかった場合には、動作テンポの整数倍との差が所定範囲内であるテンポの音楽データを検索する検索処理１と、使用者の動作テンポを用いた条件を定めておき、使用者の動作テンポに応じて検索態様を選択して検索を行う検索処理２とについて説明する。
【００７２】
［検索処理１について］
図４は、図３に示した処理のステップＳ１０６において実行可能な検索処理１について説明するためのフローチャートである。この検索処理１は、上述した（５）動作テンポの整数分の１倍との差が所定範囲内であるテンポの音楽データを検索し、該当する音楽データが検出できなかった場合には、動作テンポの整数倍との差が所定範囲内であるテンポの音楽データを検索する処理を行うものである。
【００７３】
図３に示した処理のステップＳ１０６において、図４に示す処理を実行するようにした場合には、制御部１０は、音楽再生データ生成処理部２２を制御して、例えば、音楽情報記憶装置部２１の記録媒体に作成されている楽曲リストを参照し、図３に示した処理のステップＳ１０２において算出した使用者の動作テンポの整数分の１に応じたテンポの楽曲（音楽データ）を検索する（ステップＳ２０１）。
【００７４】
このステップＳ２０１の検索処理は、図３に示したステップＳ１０３の処理の場合と同様に、使用者の動作テンポの整数分の１倍の±５の範囲に属する曲テンポの音楽データを検索するというように、使用者の動作テンポの整数分の１倍との差が予め決められた範囲内となる曲テンポの音楽データを検索する処理である。
【００７５】
例えば、使用者の動作テンポが「１３０」であり、使用者の動作テンポの２分の１倍との差が±５であるテンポの音楽データを検索する場合、使用者の動作テンポ「１３０」の２分の１のテンポである「６５」に対して、±５の範囲に属するテンポが目的とするテンポとなるので、曲テンポが「６０以上７０以下（６０≦曲テンポ≦７０）」の範囲内の曲テンポの音楽データを検索することになり、図２に示した楽曲リストの場合には、曲Ｈが再生対象の音楽データとして検出される。
【００７６】
もちろん、このステップＳ２０１の検索処理においても、使用者の動作テンポの整数分の１倍と同一の曲テンポの音楽データを検索したり、使用者の動作テンポの整数分の１倍と同一以上「＋５」以下の曲テンポの音楽データを検索したり、使用者の動作テンポの整数分の１倍と同一以下「−５」以上の曲テンポの音楽データを検索したりするなどのことも可能である。このような範囲指定は、キー操作部４１を通じて変更することができるようにされる。
【００７７】
そして、制御部１０は、ステップＳ２０１の検索処理において、使用者の動作テンポの整数分の１倍に応じたテンポの音楽データが検出できたか否かを判断する（ステップＳ２０２）。ステップＳ２０２の判断処理において、使用者の動作テンポの整数分の１倍に応じたテンポの音楽データが検出できたと判断したときには、その検出できた音楽データを再生する音楽データとして決定し、これを再生して（ステップＳ２０３）、この図４に示す処理を終了し、図３に示したメインの処理に戻る。
【００７８】
なお、ステップＳ２０１の検出処理において、複数の再生可能な音楽データが検出できた場合には、制御部１０は、ステップＳ２０３において、予め決められた順序で再生する音楽データ（楽曲）を決定し、これを再生する。具体的には、曲テンポが使用者の動作テンポに近い順、あるいは、予め決められたジャンル順、あるいは、再生時間の短い順、タイトルの５０音順などのように、予め決められた順番に従って、再生する音楽データを決定すればよい。もちろん、再生可能な音楽データのそれぞれに対して優先順位を予め設定しておき、これに従うようにしたり、後述もするが、再生した音楽データの識別情報を履歴情報として保持しておき、過去に再生されていないものを優先して再生したりするなど、種々の方式を用いることができる。
【００７９】
また、ステップＳ２０２の判断処理において、使用者の動作テンポの整数分の１倍に応じたテンポの音楽データが検出できなかったと判断したときには、制御部１０は、音楽再生データ生成処理部２２を制御して、例えば、音楽情報記憶装置部２１の記録媒体に作成されている楽曲リストを参照し、ステップＳ１０２において算出した使用者の動作テンポの整数倍に応じたテンポの楽曲（音楽データ）を検索する（ステップＳ２０４）。
【００８０】
このステップＳ２０４の検索処理は、上述したステップＳ２０１の処理の場合と同様に、使用者の動作テンポの整数倍の±５の範囲に属する曲テンポの音楽データを検索するというように、使用者の動作テンポの整数倍との差が予め決められた範囲内となる曲テンポの音楽データを検索する処理である。
【００８１】
例えば、使用者の動作テンポが「１５０」であり、使用者の動作テンポの２倍との差が±５であるテンポの音楽データを検索する場合、使用者の動作テンポ「１５０」の２倍のテンポである「３００」に対して、±５の範囲に属するテンポが目的とするテンポとなるので、曲テンポが「２９５以上３０５以下（２９５≦曲テンポ≦３０５）」の範囲内の曲テンポの音楽データを検索することになり、図２に示した楽曲リストの場合には、曲Ｅが再生対象の音楽データとして検出される。
【００８２】
もちろん、このステップＳ２０４の検索処理においても、使用者の動作テンポの整数倍と同一の曲テンポの音楽データを検索したり、使用者の動作テンポの整数倍と同一以上「＋５」以下の曲テンポの音楽データを検索したり、使用者の動作テンポの整数倍と同一以下「−５」以上の曲テンポの音楽データを検索したりするなどのことも可能である。このような範囲指定は、キー操作部４１を通じて変更することができるようにされる。
【００８３】
そして、制御部１０は、ステップＳ２０４の検索処理において、使用者の動作テンポの整数倍に応じたテンポの音楽データが検出できたか否かを判断する（ステップＳ２０５）。ステップＳ２０５の判断処理において、使用者の動作テンポの整数倍に応じたテンポの音楽データが検出できたと判断したときには、ステップＳ２０３の処理に進み、その検出できた音楽データを再生する音楽データとして決定し、これを再生して（ステップＳ２０３）、この図４に示す処理を終了し、図３に示したメインの処理に戻る。
【００８４】
なお、ステップＳ２０４の検出処理においても、複数の再生可能な音楽データが検出できた場合には、制御部１０は、ステップＳ２０３において、予め決められた順序で再生する音楽データ（楽曲）を決定し、これを再生する。具体的には、上述もしたように、曲テンポが使用者の動作テンポに近い順、あるいは、予め決められたジャンル順、あるいは、再生時間の短い順、タイトルの５０音順などのように、予め決められた順番に従って、再生する音楽データを決定すればよい。もちろん、再生可能な音楽データのそれぞれに対して優先順位を予め設定しておき、これに従うようにしたり、後述もするが、再生した音楽データの識別情報を履歴情報として保持しておき、過去に再生されていないものを優先して再生したりするなど、種々の方式を用いることができる。
【００８５】
また、ステップＳ２０５の判断処理において、使用者の動作テンポの整数倍に応じたテンポの音楽データが検出できなかったと判断したときには、「再生可能な音楽データはありません。」などのように、再生可能な音楽データが存在しないために音楽データが再生できない旨のエラー出力を、表示回路３３を通じて表示部３４の表示画面に行うようにし（ステップＳ２０６）、この図４に示す処理を終了し、図３に示したメインの処理に戻る。
【００８６】
これにより、まず、使用者の動作テンポの整数分の１倍に応じたテンポの音楽データが検索の結果、検出できた場合には、その検出できた音楽データを再生し、検出できなかった場合には、使用社の動作テンポの整数倍に応じたテンポの音楽データを検索して、該当する音楽データが検出できた場合には、その検出できた音楽データを再生することができるようにされる。
【００８７】
したがって、使用者の動作テンポに同期するテンポの音楽データを検索して再生することができる。なお、図４に示した例の場合には、先に使用者の動作テンポの整数分の１倍に応じたテンポの音楽データを検索し、存在しない場合に、使用者の動作テンポの整数倍に応じたテンポの音楽データを検索するようにした。しかし、これに限るものではない。
【００８８】
これとは逆に、まず、使用者の動作テンポの整数倍に応じたテンポの音楽データを検索し、存在しない場合に、使用者の動作テンポの整数分の１倍に応じたテンポの音楽データを検索するようにしてもよい。使用者の動作テンポの整数分の１倍に応じたテンポの音楽データを優先させるか、あるいは、使用者の動作テンポの整数倍に応じたテンポの音楽データを優先させるようにするかは、音響再生装置の製造者側において予め決めておいてもよいし、キー操作部４１を通じて使用者が選択して切り換えることができるようにしてもよい。
【００８９】
［検索処理２について］
図５は、図３に示した処理のステップＳ１０６において実行可能な検索処理２について説明するためのフローチャートである。この検索処理２は、ゆっくり歩いている場合にそれよりも速いテンポの音楽データを再生し、あるいは、走っている場合にそれよりも遅いテンポの音楽データを再生した場合には、使用者の意思とは逆方向に動作を誘導し、違和感を生じさせる可能性があることを考慮したものである。
【００９０】
具体的には、以下に詳述するが、この検索処理２は、使用者の動作テンポを用いた条件を定めておき、使用者の動作テンポに応じて、使用者の動作テンポの整数分の１との差が所定範囲内のテンポの音楽データを検索するか、使用者の動作テンポの整数倍との差が所定範囲内のテンポの音楽データを検索するかを決定して、音楽データの検索を行うようにするものである。
【００９１】
図３に示した処理のステップＳ１０６において、図５に示す処理を実行するようにした場合には、制御部１０は、まず、図３に示した処理のステップＳ１０２において算出した使用者の動作テンポを参照し、使用者の動作テンポは、予め決められるウォーキングテンポの範囲に属するか否かを判断する（ステップＳ３０１）。
【００９２】
一般に、人間が歩行している場合の動作テンポは、「１２０」前後であり、また、人間が走っている場合の歩行テンポは、「１５０」前後である。そこで、この例においては、動作テンポが「０」より大きく「１３５」未満である場合にはウォーキングテンポであると判断し、動作テンポが「１３５」以上であるときにはランニングテンポであると判断するようにする。
【００９３】
もちろんこれは一例であり、例えば、動作テンポが「１５０」未満の場合にはウォーキングテンポであると判断し、動作テンポが「１５０」以上である場合にはランニングテンポであると判断するなど、他の条件を定めるようにすることも可能である。
【００９４】
このため、ステップＳ３０１の判断処理において、使用者の動作テンポが「１３５」未満でありウォーキングテンポであると判断したときには、制御部１０は、音楽再生データ生成装置２２を制御し、例えば、音楽情報記憶装置部２１の記録媒体に作成されている楽曲リストを参照し、図３に示した処理のステップＳ１０２において算出した使用者の動作テンポの整数分の１に応じたテンポの楽曲（音楽データ）を検索する（ステップＳ３０２）。
【００９５】
このステップＳ３０２の検索処理は、図４を用いて説明した処理のステップＳ２０１の検索処理と同様の処理であり、使用者の動作テンポの整数分の１倍の±５の範囲に属する曲テンポの音楽データを検索するというように、使用者の動作テンポの整数分の１倍との差が予め決められた範囲内となる曲テンポの音楽データを検索する処理である。
【００９６】
もちろん、このステップＳ３０２の検索処理においても、使用者の動作テンポの整数分の１倍と同一の曲テンポの音楽データを検索したり、使用者の動作テンポの整数分の１倍と同一以上「＋５」以下の曲テンポの音楽データを検索したり、使用者の動作テンポの整数分の１倍と同一以下「−５」以上の曲テンポの音楽データを検索したりするなどのことも可能である。このような範囲指定は、キー操作部４１を通じて変更することができるようにされる。
【００９７】
そして、制御部１０は、ステップＳ３０２の検索処理において、目的とするテンポの再生可能な音楽データが検出できたか否かを判断する（ステップＳ３０３）。ステップＳ３０３の判断処理において、目的とするテンポの再生可能な音楽データが検出できたと判断したときには、その検出できた音楽データを再生する音楽データとして決定し、これを再生して（ステップＳ３０４）、この図５に示す処理を終了し、図３に示したメインの処理に戻る。
【００９８】
また、ステップＳ３０３の判断処理において、目的とするテンポの再生可能な音楽データが検出できなかったと判断したときには、「再生可能な音楽データはありません。」などのように、再生可能な音楽データが存在しないために音楽データが再生できない旨のエラー出力を、表示回路３３を通じて表示部３４の表示画面に行うようにし（ステップＳ３０５）、この図５に示す処理を終了し、図３に示したメインの処理に戻る。
【００９９】
なお、ステップＳ３０２の検出処理において、複数の再生可能な音楽データが検出できた場合には、図４に示したステップＳ２０３においての処理と同様に、制御部１０は、ステップＳ３０４において、予め決められた順序で再生する音楽データ（楽曲）を決定し、これを再生する。具体的には、曲テンポが使用者の動作テンポに近い順、あるいは、予め決められたジャンル順、あるいは、再生時間の短い順、タイトルの５０音順などのように、予め決められた順番に従って、再生する音楽データを決定すればよい。もちろん、他の種々の方式を用いるようにしてもよい。
【０１００】
また、ステップＳ３０１の判断処理において、使用者の動作テンポはウォーキングテンポではないと判断した場合には、制御部１０は、図３に示した処理のステップＳ１０２において算出した使用者の動作テンポを参照し、使用者の動作テンポは、予め決められるランニングテンポの範囲に属するか否かを判断する（ステップＳ３０６）。
【０１０１】
ステップＳ３０６の判断処理において、使用者の動作テンポは「１３５」以上であり、ランニングテンポであると判断したときには、制御部１０は、音楽再生データ生成処理部２２を制御して、例えば、音楽情報記憶装置部２１の記録媒体に作成されている楽曲リストを参照し、ステップＳ１０２において算出した使用者の動作テンポの整数倍に応じたテンポの楽曲（音楽データ）を検索する（ステップＳ３０７）。
【０１０２】
このステップＳ３０７の検索処理は、図４に示したステップＳ２０４の処理の場合と同様に、使用者の動作テンポの整数倍の±５の範囲に属する曲テンポの音楽データを検索するというように、使用者の動作テンポの整数倍との差が予め決められた範囲内となる曲テンポの音楽データを検索する処理である。
【０１０３】
もちろん、このステップＳ２０４の検索処理においても、使用者の動作テンポの整数倍と同一の曲テンポの音楽データを検索したり、使用者の動作テンポの整数倍と同一以上「＋５」以下の曲テンポの音楽データを検索したり、使用者の動作テンポの整数倍と同一以下「−５」以上の曲テンポの音楽データを検索したりするなどのことも可能である。このような範囲指定は、キー操作部４１を通じて変更することができるようにされる。
【０１０４】
そして、制御部１０は、ステップＳ３０３の処理に進み、ステップＳ３０７の検索処理において、目的とするテンポの再生可能な音楽データが検出できたか否かを判断し（ステップＳ３０３）、目的とするテンポの再生可能な音楽データが検出できたと判断したときには、その検出できた音楽データを再生する音楽データとして決定し、これを再生して（ステップＳ３０４）、この図５に示す処理を終了し、図３に示したメインの処理に戻る。
【０１０５】
また、ステップＳ３０３の判断処理において、目的とするテンポの再生可能な音楽データが検出できなかったと判断したときには、「再生可能な音楽データはありません。」などのように、再生可能な音楽データが存在しないために音楽データが再生できない旨のエラー出力を、表示回路３３を通じて表示部３４の表示画面に行うようにし（ステップＳ３０５）、この図５に示す処理を終了し、図３に示したメインの処理に戻る。
【０１０６】
なお、ステップＳ３０７の検出処理において、複数の再生可能な音楽データが検出できた場合においても、制御部１０は、ステップＳ３０４において、予め決められた順序で再生する音楽データ（楽曲）を決定し、これを再生する。具体的には、曲テンポが使用者の動作テンポに近い順、あるいは、予め決められたジャンル順、あるいは、再生時間の短い順、タイトルの５０音順などのように、予め決められた順番に従って、再生する音楽データを決定すればよい。もちろん、他の種々の方式を用いるようにしてもよい。
【０１０７】
また、ステップＳ３０６の判断処理において、使用者の動作テンポは、ランニングテンポではないと判断した場合には、使用者の動作テンポは、ウォーキングテンポでも、ランニングテンポでもないので、制御部１０は、音楽再生データ生成処理部２２を制御して、例えば、音楽情報記憶装置部２１の記録媒体に作成されている楽曲リストを参照し、予め決められた条件で再生する音楽データを決定し、これを再生するようにして（ステップＳ３０８）、この図５に示す処理を終了し、図３に示したメインの処理に戻る。
【０１０８】
これにより、ゆっくり歩いている場合には、使用者の動作テンポの整数分の１倍との差が所定範囲内となるテンポの音楽データが検索されるので、ウォーキング時における使用者の動作テンポよりも速いテンポの音楽データを再生してしまうことを防止することができる。また、走っている場合には、使用者の動作テンポの整数倍との差が所定範囲内となるテンポの音楽データが検索されるので、ランニング時における使用者の動作テンポよりも遅いテンポの音楽データを再生することを防止することができる。したがって、使用者の意思とは逆方向に動作を誘導することを防止し、違和感を生じさせるが無いようにすることができる。
【０１０９】
なお、図５に示した処理においては、使用者の動作テンポがウォーキングテンポであるか否かを判断し、次に、使用者の動作テンポがランニングテンポであるか否かを判断するようにしたが、これに限るものではない。先に使用者の動作テンポがランニングテンポであるか否かを判断し、次に、使用者の動作テンポがウォーキングテンポであるか否かを判断するようにしてもよい。すなわち、図５において、ステップＳ３０１およびステップＳ３０２と、ステップＳ３０６およびステップＳ３０７との実行タイミングを入れ換えるようにしてもよい。
【０１１０】
このように、この実施の形態の音響再生装置は、使用者の動作テンポに同期するテンポの音楽データを検索して再生することができるので、使用者の動作と再生される音楽との一体感が得られるようにすることができる。
【０１１１】
また、使用者の動作テンポとの差が所定範囲内の音声データが存在しない場合であっても、使用者の動作テンポと一定の関係のあるテンポの音楽データを選択して再生することができ、動作テンポに応じて検索して再生する音楽データの数を増やすことができる。
【０１１２】
なお、上述した実施の形態においては、整数分の１倍の例として２分の１の場合を用いて、整数倍の例として２倍の場合を用いるようにした。しかし、これに限るものでないことは言うまでもない。整数分の１倍の場合には、２分の１（１／２）、３分の１（１／３）、４分の１（１／４）、５分の１（１／５）、…のように種々の値を用いることができるし、整数倍の場合には、２倍、３倍、４倍、５倍、…のように種々の値を用いることができる。
【０１１３】
そして、整数分の１倍のときには、何分の１倍を用いるか、整数倍のときには何倍を用いるかは、ユーザの動作テンポが取り得る値と、種々の音楽データの曲テンポとに応じて、音響再生装置の製造者側において予め定めて設定しておくようにする。もちろん、この設定値を使用者側で変更できるようにしておいてもよい。
【０１１４】
なお、上述した実施の形態の音響再生装置は、携帯型の音響再生装置であるものとして説明したが、具体的には、携帯型ハードディスクプレーヤ、携帯型ＭＤ（登録商標）プレーヤ、半導体メモリプレーヤ、音楽データ（楽曲データ）の再生機能を備えた携帯電話端末などの種々の携帯型の音響再生装置（音楽再生装置）に適用可能である。
【０１１５】
また、上述した実施の形態においては、音響再生装置は、携帯型のものであり、ウォーキングやジョギングといった運動をしながら音楽を再生して聴取する場合に用いて好適なものであるものとして説明したが、使用者が行う動作（運動）は、ウォーキングやジョギングにかぎるものではない。例えば、ブラブラ歩き、ウォーキング、ジョギング、ランニング、ダッシュなどの種々の動作（運動）の内の１つであればよい。
【０１１６】
この場合、（１）ブラブラ歩き、（２）ウォーキング、（３）ジョギング、（４）ランニング、（５）ダッシュは、この（１）〜（５）の順番に動作速度（移動速度）が速くなり、動作を行う人にかかる負荷が大きくなることを意味している。しかし、これらの動作における動作速度（移動速度）には個人差があるために、一概に速度を数値化して規定することはできず、各動作の速度に応じた区間は、前後の異なる運動の速度に応じた区間と重なり合う場合もあるものである。
【０１１７】
また、（１）ブラブラ歩き、（２）ウォーキング、（３）ジョギング、（４）ランニング、（５）ダッシュという区別は、物理的に移動する場合だけでなく、室内において用いられるいわゆるルームランナーや自転車型トレーニングマシンなど用いて室内などにおいて運動を行う場合においても、その強度に応じて運動の種類を指定する場合に用いることも可能である。
【０１１８】
例えば、自転車型トレーニングマシンを使って運動をする場合、ごくゆっくりとペダルをこぐ場合は（１）ブラブラ歩きとし、ウォーキング程度の負荷がかかるようにペダルをこぐ場合は（２）ウォーキングとし、適度な有酸素運動となるジョギング程度の負荷がかかるようにペダルをこぐ場合は（３）ジョギングとし、より大きく負荷をかけてペダルをこぐようにする場合を、（４）ランニング、あるいは、（５）ダッシュというように分類することにより、使用者が行う運動の種目が異なっても、その負荷や運動テンポにしたがって、（１）ブラブラ歩き、（２）ウォーキング、（３）ジョギング、（４）ランニング、（５）ダッシュという区分けで、使用者が行う運動を管理することができる。
【０１１９】
したがって、音響再生装置などのこの発明が適用される機器においては、運動の強度を（１）ブラブラ歩き、（２）ウォーキング、（３）ジョギング、（４）ランニング、（５）ダッシュという区分けで管理し、使用者が目的に応じた運動を無理なく、継続しておこなうことができるように、音楽などの音声データを再生して使用者に提供し、種々の運動を行う使用者の補助となることができる。
【０１２０】
すなわち、使用者が行う動作は、ブラブラ歩き、ウォーキング、ジョギング、ランニング、ダッシュの他、自転車こぎ、ボート漕ぎ、縄跳びなどのジャンプ動作を伴うもの、エアロビクスダンスなどであってもよく、これらの各種の動作（運動）の強度を上述したように、（１）ブラブラ歩き、（２）ウォーキング、（３）ジョギング、（４）ランニング、（５）ダッシュという区分けることによって、種々の動作を行う場合にこの発明を用いることができる。
【０１２１】
また、使用者の動作テンポに応じたテンポの既存の音楽データに応じた楽曲、使用者の動作テンポに同期したテンポの楽曲を再生した場合には、動作テンポを示す情報と、再生した音楽データの識別情報との一方または両方を、例えば、音楽情報記憶装置部２１の記録媒体や記憶装置部５３の記憶媒体、あるいは、制御部１０が備えるＥＥＰＲＯＭ（Electrically Erasable and Programmable ROM）などの不揮発性メモリなどに履歴情報として記憶保持するようにしてもよい。このように、テンポに関連する履歴情報を記憶保持しておくことにより、動作（運動）終了後において、自己がどのようなテンポの動作をどれ位継続して行ったかを把握することができるなど、自己の動作（運動）の管理や分析に用いることができる。
【０１２２】
なお、上述した実施の形態の音響再生装置は、この発明による音響再生方法が適用されたものであり、特に、図３、図４、図５のフローチャートを用いて説明した処理は、この発明による音響再生方法に応じた処理である。また、図３、図４、図５のフローチャートを用いて説明した処理を実行するプログラムを作成することにより、この発明による音響再生プログラムを実現することができる。そして、この発明による音響再生プログラムを種々の音響再生装置に搭載することによって、この発明の音響再生装置を比較的に簡単に実現することもできる。
【図面の簡単な説明】
【０１２３】
【図１】この発明の一実施の形態が適用された音響再生装置を説明するためのブロック図である。
【図２】再生可能な音楽データの一覧表である楽曲リストの一例を説明するための図である。
【図３】使用者の動作テンポに応じたテンポの楽曲を再生する場合の動作について説明するためのフローチャートである。
【図４】図３に示したステップＳ１０６において行われる処理の一例を説明するための図である。
【図５】図３に示したステップＳ１０６において行われる処理の他の例を説明するための図である。
【符号の説明】
【０１２４】
１０…制御部、１１…ＣＰＵ、１２…ＲＯＭ、１３…ＲＡＭ、２１…音楽情報記憶装置部、２２…音楽再生データ生成装置部、２３…運動情報解析回路、２４…運動情報センサ、３１…音声信号出力処理部、３２…スピーカ、３３…表示回路、３４…表示部、４１…キー操作部、４２…マイクロホン、４３…音声信号入力処理部、５１…外部端子、５２…Ｉ／Ｆ、５３…記憶装置部、６１…通信Ｉ／Ｆ、６２…送受信回路、６３…送受信アンテナ
【図１】
2007156261.tif 000003
【図２】
2007156261.tif 000004
【図３】
2007156261.tif 000005
【図４】
2007156261.tif 000006
【図５】
2007156261.tif 000007